(57)【要約】【課題】操作手段の操作を効果的に遊技者に促進できる遊技機を提供する。【解決手段】スイッチ画像の表示および演出用スイッチ５６の発光により、演出用スイッチ５６の操作を遊技者に促進する促進演出を実行可能であり、スイッチ画像の表示態様は、右発光表示態様と左発光表示態様とがあり、演出用スイッチ５６の発光制御は、右発光制御と左発光制御とがあり、右発光表示態様から左発光表示態様に切替るタイミングと、右発光制御から左発光制御に切替るタイミングとは同一である。【選択図】図３
2018140072.tif 000002
【特許請求の範囲】
【請求項１】
遊技を行うことが可能な遊技機であって、
遊技者が操作可能な操作手段と、
前記操作手段を発光させることにより、該操作手段の操作を促進する発光制御手段と、
前記操作手段に対応する対応画像を表示することにより、該操作手段の操作を促進する表示制御手段とを備え、
前記発光制御手段は、前記操作手段の発光制御を、第１発光制御から第２発光制御に切替え可能であり、
前記表示制御手段は、前記対応画像の表示態様を、前記第１発光制御に対応した第１表示態様から、前記第２発光制御に対応した第２表示態様に切替え可能であり、
前記第１発光制御から前記第２発光制御に切替えられるタイミングと、前記第１表示態様から前記第２表示態様に切替えられるタイミングとは対応している、遊技機。
【発明の詳細な説明】
【技術分野】
【０００１】
本発明は、遊技を行うことが可能な遊技機に関する。
【背景技術】
【０００２】
スロットマシンやパチンコ遊技機などの遊技機において、操作手段の操作を遊技者に促進するために、操作手段に対応する画像を表示する促進演出を実行するものがあった（特許文献１）
【先行技術文献】
【特許文献】
【０００３】
【特許文献１】特開２０１７−２９８号公報
【発明の概要】
【発明が解決しようとする課題】
【０００４】
しかし、特許文献１に記載された遊技機では、対応画像を表示するのみであったので、操作手段の操作を効果的に遊技者に促進できなかった。
【０００５】
そこで、本発明は、操作手段の操作を効果的に遊技者に促進できる遊技機を提供することを目的とする。
【課題を解決するための手段】
【０００６】
（１）  遊技を行うことが可能な遊技機であって、
遊技者が操作可能な操作手段（たとえば、演出用スイッチ５６）と、
前記操作手段を発光させることにより、該操作手段の操作を促進する発光制御手段（たとえば、サブ制御部）と、
前記操作手段に対応する対応画像（たとえば、スイッチ画像）を表示することにより、該操作手段の操作を促進する表示制御手段（たとえば、サブ制御部）とを備え、
前記発光制御手段は、前記操作手段の発光制御を、第１発光制御（たとえば、図２（Ｆ）に示す右発光制御）から第２発光制御（たとえば、図２（Ｇ）に示す左発光制御）に切替え可能であり、
前記表示制御手段は、前記対応画像の表示態様を、前記第１発光制御に対応した第１表示態様（たとえば、図２（Ｃ）に示す右発光表示態様）から、前記第２発光制御に対応した第２表示態様（たとえば、図２（Ｄ）に示す左発光表示態様）に切替え可能であり、
前記第１発光制御から前記第２発光制御に切替えられるタイミングと、前記第１表示態様から前記第２表示態様に切替えられるタイミングとは対応している（たとえば、図３のタイミングＴ３に示すように、スイッチ画像の表示態様の切替タイミングと、演出用スイッチ５６の発光制御の切替タイミングとは同一である）。
【０００７】
このような構成によれば、操作手段の操作を効果的に遊技者に促進できる。
（２）  上記（１）の遊技機において、
前記発光制御の実行中および前記対応画像の表示中に、前記操作手段が操作されたときに、前記発光制御および前記対応画像の表示は終了する（たとえば、図３のタイミングＴ９に示すように、促進演出の実行中に演出用スイッチ５６が操作されると、該促進演出は終了する）。
【０００８】
このような構成によれば、操作手段の操作が完了したことを遊技者に認識させることができる。
【０００９】
（３）  上記（１）または（２）の遊技機において、
前記発光制御および前記対応画像の表示が開始されたときに、所定音を出力する所定音出力手段をさらに備える（たとえば、図２（Ｂ）に示すように、促進演出の開始時にズドーンという所定音が出力される）。
【００１０】
このような構成によれば、促進演出が開始されたことを所定音の出力により遊技者に認識させることができる。
【００１１】
（４）  上記（１）〜（３）いずれかに記載の遊技機において、
前記操作手段の操作を受付ける受付期間が開始されたときに、前記発光制御および前記対応画像の表示が開始され（たとえば、図３のタイミングＴ２に示すように、操作有効期間の開始と同時に、促進演出は開始され）、
前記受付期間の開始前に、前記発光制御および前記対応画像の表示が開始されることを示唆する示唆演出（たとえば、図２（Ａ）に示す示唆演出、図３（Ｂ）も参照）を実行する示唆演出実行手段（たとえば、サブ制御部９１）をさらに備える。
【００１２】
このような構成によれば、発光制御および対応画像の表示が開始されることを示唆する示唆演出の実行により、操作手段への操作を適切に促進できる。
【００１３】
（５）  上記（１）〜（４）いずれかに記載の遊技機において、
前記発光制御および前記対応画像の表示により、前記操作手段の操作方法を報知可能である（たとえば、図２（Ｃ）および図２（Ｄ）に示すように、演出用スイッチ５６を押下する態様が報知される）。
【００１４】
このような構成によれば、操作手段への操作方法を遊技者に認識させることができることから、操作手段への操作を適切に促進できる。
【００１５】
（６）  上記（１）〜（５）いずれかに記載の遊技機において、
前記発光制御および前記対応画像の表示が開始されるタイミングと、前記操作手段の操作を受付ける受付期間が開始されるタイミングとは対応している（たとえば、図３（Ｃ）に示すように、促進演出の開始とともに、操作有効期間は開始する）。
【００１６】
このような構成によれば、促進演出が実行されているにもかかわらず、操作手段への操作が受付けられないといった不合理が生じることを防止できる。
【図面の簡単な説明】
【００１７】
【図１】本実施形態のスロットマシンの正面図を説明するための図である。
【図２】促進演出などを説明するための図である。
【図３】促進演出のタイミングなどを説明するための図である。
【発明を実施するための形態】
【００１８】
図１に示すように、スロットマシン１は、各々が識別可能な複数種類の識別情報（７などの図柄）を変動表示可能な可変表示部（たとえば、３つのリール２Ｌ、２Ｃ、２Ｒ）を備え、可変表示部を変動表示した後、前記可変表示部の変動表示を停止することで表示結果を導出し、該表示結果に応じて入賞が発生可能である。リールの個数は、３つに限らず、１つであってもよく、２以上であってもよい。スロットマシン１は、遊技者により押下可能な演出用スイッチ５６、種々の情報が表示される表示領域を有し、かつリール２Ｌ、２Ｃ、２Ｒの前面に透過可能な液晶表示器５１などが設けられている。スロットマシン１は、遊技の進行を制御するメイン制御部と、該メイン制御部から送信されるコマンドに応じて所定の演出を制御する（液晶表示器５１の表示制御、および演出用スイッチ５６の発光制御などを行う）サブ制御部とを備える。
【００１９】
図２および図３を用いて、実行される演出を説明する。本実施形態では、所定の特典（たとえば、ＡＴへの制御）が付与されるか否かを決定する特典抽選を実行する。特典抽選が実行されると、１ゲーム以上のゲームに亘って所定演出が実行される。図３（Ａ）に示すように、該所定演出中に表示結果が導出されたときに（図３のタイミングＴ１）、示唆演出が実行される。該示唆演出は、促進演出が実行されることを示唆する演出であって、演出用スイッチに対応する４つのスイッチ画像（中央にＰＵＳＨという文字が表示された画像）が、表示領域の周縁から中央に集合する演出である。促進演出は、後述するスイッチ画像の表示および演出用スイッチ５６の発光により、該演出用スイッチ５６の操作を遊技者に促進する演出である。
【００２０】
該４つのスイッチ画像が中央で合体することにより示唆演出は終了するとともに、図２（Ｂ）に示すように、促進演出が開始されることにより、該合体により表示領域の中央部にスイッチ画像が右発光表示態様で表示され、かつ所定音（ズドーン）がスピーカ５３、５４から出力される（タイミングＴ２）。該スイッチ画像は、演出用スイッチに対応する画像（用いた画像）である。スイッチ画像はたとえば、演出用スイッチ５６をデフォルメした画像としてもよく、スイッチ画像と同一の画像としてもよい。また、右発光表示態様とは、スイッチ画像の右側が発光しており、かつ演出用スイッチ５６が押下されていない状態を表示している表示態様である。また、促進演出の開始とともに、操作有効期間に制御される（図３（Ｃ）参照）。操作有効期間は、演出用スイッチ５６への操作が有効となる期間である。
【００２１】
図２（Ｃ）および図２（Ｄ）に示すように、右発光表示態様での表示の１秒後に、該スイッチ画像は左発光表示態様で表示される（タイミングＴ３）。左発光表示態様とは、スイッチ画像の左側が発光しており、かつ演出用スイッチ５６が押下された（凹んでいる）状態を表示している表示態様である。また、図２（Ｃ）および図２（Ｄ）に示すように、左発光表示態様での表示の１秒後に、スイッチ画像は右発光表示態様で表示される（タイミングＴ４）。このように、スイッチ画像の表示態様について、右発光表示態様および左発光表示態様が所定の周期（１秒間）で繰り替えされる（タイミングＴ２〜Ｔ８参照）。
【００２２】
また、図２（Ｅ）〜図２（Ｇ）、図３（Ｄ）、および図３（Ｅ）に示すように、スイッチ画像が右発光表示態様で表示されている期間は、演出用スイッチ５６は、右発光制御により右半分が発光する。スイッチ画像の表示態様が右発光表示態様から左発光表示態様に切替えられたタイミングで、演出用スイッチ５６の発光制御も右発光制御から左発光制御に切替えられる（タイミングＴ３参照）。スイッチ画像が左発光表示態様で表示されている期間は、演出用スイッチ５６は、左発光制御により、左半分が発光する。
【００２３】
このように、スイッチ画像の表示態様の切替タイミングと、演出用スイッチの発光制御の切替タイミングとが同一となる促進演出を実行する。したがって、演出用スイッチ５６の操作を効果的に遊技者に促進できる。また、スイッチ画像は押下された状態と押下されていない状態とが交互に表示される。この表示により、演出用スイッチ５６への操作方法（押下）を遊技者に認識させることができることから、演出用スイッチ５６への操作を適切に促進できる。また、促進演出が実行されることを示唆する示唆演出が操作有効期間の前に実行される（図３（Ｂ）参照）。したがって、演出用スイッチ５６への操作を適切に促進できる。
【００２４】
また、図２（Ｂ）に示すように、該促進演出の実行が開始とともに、スピーカ５３、５４から所定音（図２の例では、ズドーンという音）が出力される（図３（Ｆ）参照）。したがって、促進演出が開始されたことを所定音の出力により遊技者に認識させることができる。
【００２５】
また、促進演出が開始されるタイミングと、演出用スイッチ５６の操作を受付可能な操作有効期間に制御されるタイミングとは同一である（図３（Ｃ）参照）。したがって、促進演出が実行されているにもかかわらず、演出用スイッチ５６への操作が受付けられないといった不合理が生じることを防止できる。
【００２６】
また、該促進演出の実行中（つまり、操作有効期間中）に、演出用スイッチ５６が操作されると、促進演出は終了することにより、スイッチ画像の表示は終了する。これとともに、演出用スイッチ５６は消灯する（図２（Ｉ）参照）。促進演出が終了すると、結果演出が実行される（図２（Ｈ）参照）。したがって、演出用スイッチ５６への操作が完了したことを遊技者に分かり易く認識させることができる。
【００２７】
次に変形例を説明する。本変形例の促進演出は、演出用スイッチ５６および演出用スイッチ５６の近傍（図１の例では、メダル投入部４）を含む、スロットマシン１の少なくとも一部を表す画像を表示するようにしてもよい。このような構成によれば、スロットマシン１の少なくとも一部を表す画像を用いて促進表示（促進演出）が実行されるため、演出用スイッチ５６への操作を分かり易く促進できる。
【００２８】
また、本変形例では、促進演出において画像切替タイミングと、該スイッチ切替タイミングとは略同一としてもよい。ここで、スイッチ画像の一の発光態様（たとえば、右発光態様）の期間Ｘ１と、演出用スイッチの該一の発光態様に対応する発光制御（たとえば、右発光制御の期間）の期間Ｘ２とが重畳する期間を重畳期間Ｘ３とする。略同一とは、該重畳期間Ｘ３の期間Ｘ１（または期間Ｘ２）に対する割合が所定値（たとえば、５０％）以上であることをいう。このように、双方のタイミングは、同一としてもよく略同一としてもよい。換言すれば双方のタイミングは対応していればよい。また、促進演出の開始タイミングと操作有効期間の開始タイミングも対応していればよい。
【００２９】
また、本変形例では、右半分が発光している表示と、演出用スイッチ５６が押下されていない表示とはズレていてもよい。また、左半分が発光している表示と演出用スイッチ５６が押下されている表示とはズレていてもよい。
【００３０】
また、操作手段は、どのような操作手段であってもよく、遊技者により引くことが可能なレバーなどとしてもよい。このような操作手段であっても、図２および図３で説明した思想を適用することにより、本実施形態と同様の効果を奏する。
【００３１】
本実施形態では、遊技機としてスロットマシンを例示したが、他の遊技としてもよく、たとえば、該遊技機をパチンコ遊技機としてもよい。また、パチンコ遊技機において所定の特典（たとえば、大当り状態への制御）を付与するまでに、図２および図３で説明した演出を実行することにより、本実施形態と同様の効果を奏する。
【００３２】
また、スイッチ画像および演出用スイッチ５６の変化する態様数は、３以上としてもよい。また、スイッチ画像および演出用スイッチ５６の変化する第１態様は発光される態様とし、第２態様は消灯される態様としてもよい。また、第１態様は所定色（たとえば、赤色）とし、第２態様は特定色（たとえば、青色）としてもよい。
【符号の説明】
【００３３】
５１  液晶表示器、５６  演出用スイッチ。
【図１】
2018140072.tif 000003
【図２】
2018140072.tif 000004
【図３】
2018140072.tif 000005